(57)【要約】【課題】現像カートリッジを感光体に向けて確実に押圧できる感光体カートリッジおよびプロセスカートリッジを提供すること。【解決手段】  ドラムカートリッジ２の押圧部材７０は、本体部７１から後方に向けて突出するとともに、本体部７１から上方に突出する突出部７３を備える。突出部７３は、押圧部７２と連続し、現像カートリッジ３をドラムカートリッジ２のカートリッジ収容部８６にガイドするガイド面７３Ｅを備える。そのため、現像カートリッジ３をドラムカートリッジ２に装着する際に、現像カートリッジ３をカートリッジ収容部８６に円滑に収容できる。そして、現像カートリッジ３が押圧部７２に乗り上げるように係合することを抑制できる。その結果、現像カートリッジ３を感光ドラム５に向けて確実に押圧できる。【選択図】図６
2015129817.tif 000002
【特許請求の範囲】
【請求項１】
第１方向に延びる回転軸線について回転するように構成される感光体と、
現像ローラを有する現像カートリッジが装着可能なカートリッジ収容部を備える筐体と、
前記カートリッジ収容部に収容される前記現像カートリッジを前記感光体に向けて押圧するように構成される押圧部材と、を備え、
前記押圧部材は、
前記筐体と係合する本体部と、
当該押圧部材が前記現像カートリッジを前記感光体に向けて押圧する押圧方向において、前記本体部から前記感光体に向けて突出し、前記現像カートリッジを押圧するように構成される押圧部と、
前記押圧方向において前記本体部から前記感光体に向けて突出するとともに、前記第１方向から見て前記押圧方向と直交する第２方向に沿って前記本体部から突出する突出部と、を備え、
前記突出部は、前記押圧部と連続し、前記現像カートリッジを前記カートリッジ収容部にガイドするように構成されるガイド面を備えることを特徴とする、感光体カートリッジ。
【請求項２】
前記ガイド面は、前記第１方向に見たときに、前記第２方向に突出するにつれて前記感光体から離れるように傾斜して延びていることを特徴とする、請求項１に記載の感光体カートリッジ。
【請求項３】
前記ガイド面と前記押圧方向とのなす角度は、４５°以上、９０°未満であることを特徴とする、請求項２に記載の感光体カートリッジ。
【請求項４】
前記ガイド面と前記押圧方向とのなす角度は、６５°以上、８５°以下であることを特徴とする、請求項２に記載の感光体カートリッジ。
【請求項５】
前記突出部は、前記第２方向において前記本体部と反対側に位置し、かつ、前記ガイド面と連続する湾曲面を備えることを特徴とする、請求項１ないし４のいずれか一項に記載の感光体カートリッジ。
【請求項６】
前記ガイド面は、前記押圧部に連続し、かつ、前記第２方向に投影したときに前記押圧部と重なることを特徴とする、請求項１ないし５のいずれか一項に記載の感光体カートリッジ。
【請求項７】
請求項１ないし６のいずれか一項に記載の感光体カートリッジと、
前記カートリッジ収容部に離脱可能に装着される現像カートリッジであって、前記押圧部材からの押圧力を受ける被押圧部を備える現像カートリッジと、を備えるプロセスカートリッジであって、
前記突出部の前記第１方向の寸法は、前記被押圧部の前記第１方向の寸法と略同一であることを特徴とする、プロセスカートリッジ。
【発明の詳細な説明】
【技術分野】
【０００１】
本発明は、電子写真方式が採用される画像形成装置に装着されるように構成される感光体カートリッジおよびプロセスカートリッジに関する。
【背景技術】
【０００２】
従来より、画像形成装置において、感光ドラムを備えるドラムカートリッジに現像ローラを備える現像カートリッジが装着され、これらがプロセスカートリッジとして画像形成装置の装置本体に着脱可能に装着されるものが知られている。
【０００３】
例えば、プロセスカートリッジにおいて、ドラムカートリッジは、現像カートリッジを装着するための現像カートリッジ装着部と、装着された現像カートリッジを押圧するための押圧部材とを備える。現像カートリッジは、押圧部材によって押圧されるように構成される被押圧部を備える。現像カートリッジがドラムカートリッジの現像カートリッジ装着部に装着されると、現像カートリッジの被押圧部が押圧部材によって感光ドラムに向けて押圧される。これにより、現像ローラが感光ドラムに接触し、画像形成動作が可能な状態が確保される。（例えば、特許文献１参照）。
【先行技術文献】
【特許文献】
【０００４】
【特許文献１】特開２０１３−５４０５２号公報
【発明の概要】
【発明が解決しようとする課題】
【０００５】
しかるに、上記特許文献１に記載のプロセスカートリッジでは、押圧部材の押圧領域は、押圧方向において感光体側に向かって突出している。そのため、ドラムカートリッジに現像カートリッジを装着させる際に、現像カートリッジの被押圧部が押圧部材の押圧領域に乗り上げるように係合することがある。この場合、ドラムカートリッジの現像カートリッジ装着部において現像カートリッジが未完全な状態で装着される。そして、この状態でプロセスカートリッジが本体ケーシングに装着されると、画像形成動作ができないという不具合が生じる。
【０００６】
そこで、本発明の目的は、現像カートリッジを感光体に向けて確実に押圧できる感光体カートリッジおよびプロセスカートリッジを提供することにある。
【課題を解決するための手段】
【０００７】
（１）上記目的を達成するために、本発明の感光体カートリッジは、第１方向に延びる回転軸線について回転するように構成される感光体と、現像ローラを有する現像カートリッジが装着可能なカートリッジ収容部を備える筐体と、カートリッジ収容部に収容される現像カートリッジを感光体に向けて押圧するように構成される押圧部材と、を備える。押圧部材は、筐体と係合する本体部と、押圧部材が現像カートリッジを感光体に向けて押圧する押圧方向において、本体部から感光体に向けて突出し、現像カートリッジを押圧するように構成される押圧部と、押圧方向において本体部から感光体に向けて突出するとともに、第１方向から見て押圧方向と直交する第２方向に沿って本体部から突出する突出部と、を備える。突出部は、押圧部と連続し、現像カートリッジをカートリッジ収容部にガイドするように構成されるガイド面を備える。
【０００８】
このような構成によれば、押圧部材は、押圧方向において本体部から感光体に向けて突出するとともに、第２方向に沿って本体部から突出する突出部を備える。突出部は、押圧部と連続し、現像カートリッジをカートリッジ収容部にガイドするように構成されるガイド面を備える。
【０００９】
そのため、現像カートリッジをカートリッジ収容部に円滑に収容できる。
【００１０】
また、現像カートリッジが押圧部に乗り上げるように係合することを抑制できる。
【００１１】
その結果、現像カートリッジを感光体に向けて確実に押圧できる。
（２）また、ガイド面は、第１方向に見たときに、第２方向に突出するにつれて感光体から離れるように傾斜して延びてもよい。
【００１２】
このような構成によれば、現像カートリッジを一層円滑にカートリッジ収容部に収容できる。
（３）また、ガイド面と押圧方向とのなす角度は、４５°以上、９０°未満であってもよい。
【００１３】
このような構成によれば、現像カートリッジを円滑にカートリッジ収容部に収容できるように、ガイド面の傾斜角度を適切に保つことができる。
（４）また、ガイド面と押圧方向とのなす角度は、６５°以上、８５°以下であってもよい。
【００１４】
このような構成によれば、現像カートリッジを円滑にカートリッジ収容部に収容できるように、ガイド面の傾斜角度を適切に保つことができる。
（５）また、突出部は、第２方向において本体部と反対側に位置し、かつ、ガイド面と連続する湾曲面を備えてもよい。
【００１５】
このような構成によれば、突出部は、ガイド面と連続するガイド面を備える。
【００１６】
そのため、現像カートリッジを湾曲面を介してガイド面に向けてガイドできる。
（６）また、ガイド面は、押圧部に連続し、かつ、第２方向に投影したときに押圧部と重なってもよい。
【００１７】
このような構成によれば、現像カートリッジが押圧部に乗り上げるように係合することを、一層確実に抑制できる。
（７）また、本発明のプロセスカートリッジは、感光体カートリッジと、カートリッジ収容部に離脱可能に装着される現像カートリッジであって、押圧部材からの押圧力を受ける被押圧部を備える現像カートリッジと、を備える。突出部の第１方向の寸法は、被押圧部の第１方向の寸法と略同一であってもよい。
【００１８】
このような構成によれば、突出部の第１方向の寸法は、被押圧部の第１方向の寸法と略同一である。
【００１９】
そのため、現像カートリッジをカートリッジ収容部に収容させる際に、現像カートリッジの装着位置を認識しやすくできる。
【発明の効果】
【００２０】
本発明の感光体カートリッジおよびプロセスカートリッジでは、現像カートリッジを感光体に向けて確実に押圧できる。
【図面の簡単な説明】
【００２１】
【図１】図１は、本発明のプロセスカートリッジの一実施形態を示す側断面図である。
【図２】図２は、図１に示すプロセスカートリッジを備えるプリンタの中央断面図である。
【図３】図３は、図１に示すプロセスカートリッジを左上から見た斜視図である。
【図４】図４は、図１に示すプロセスカートリッジの平面図である。
【図５】図５は、図３に示すドラムカートリッジにおいて、押圧部材の筐体への係合状態を示す平断面図である。
【図６】図６Ａは、図３に示す押圧部材を左上から見た斜視図である。図６Ｂは、図３に示す押圧部材の左側面図である。
【図７】図７は、図３に示す現像カートリッジを左下から見た斜視図である。
【図８】図８Ａは、図３に示す現像カートリッジの左側面図である。図８Ｂは、図３に示す現像カートリッジにおいて、ギアカバーを外した状態を示す左側面図である。
【図９】図９Ａは、ドラムカートリッジに対する現像カートリッジの装着動作を説明するための説明図であって、現像カートリッジの被押圧部が押圧部材の湾曲面に当接する状態を示す側断面図である。図９Ｂは、図９Ａに続いて、ドラムカートリッジに対する現像カートリッジの装着動作を説明するための説明図であって、現像カートリッジが第１位置に位置する状態を示す側断面図である。
【図１０】図１０Ａは、ドラムカートリッジに対する現像カートリッジの装着動作を説明するための説明図であって、現像カートリッジが第２位置に位置する状態を示す左側面図である。図１０Ｂは、図１０Ａに続いて、ドラムカートリッジに対する現像カートリッジの装着動作を説明するための説明図であって、現像カートリッジが第１位置に位置する状態を示す左側面図である。
【発明を実施するための形態】
【００２２】
１．プロセスカートリッジの概略
図１に示すように、プロセスカートリッジ１は、感光体カートリッジの一例としてのドラムカートリッジ２と、現像カートリッジ３とを備えている。
【００２３】
なお、以下の説明において、プロセスカートリッジ１の方向に言及するときには、プロセスカートリッジ１を水平に載置した状態を上下の基準とする。すなわち、図１の紙面上方が上方であり、紙面下方が下方である。また、図１の紙面右方が前方であり、図１の紙面左方が後方である。また、プロセスカートリッジ１を前方から見たときを左右の基準とする。すなわち、図１の紙面手前が左方であり、紙面奥が右方である。左右方向は、第１方向の一例であり、上下方向は、第２方向の一例であり、前後方向は、第３方向の一例である。
【００２４】
ドラムカートリッジ２は、筐体の一例としてのドラムフレーム４と、感光体の一例としての感光ドラム５と、転写ローラ６と、スコロトロン型帯電器７とを備えている。
【００２５】
ドラムフレーム４は、平面視略矩形状であって、左右方向に延びる有底枠形状を有している。
【００２６】
感光ドラム５は、ドラムフレーム４の後端部に位置している。感光ドラム５は、左右方向に延びる略円筒形状を有している。感光ドラム５は、左右方向両端部がドラムフレーム４に回転可能に支持されることによって、左右方向に延びる回転軸線Ａ３を中心として回転するように構成されている。
【００２７】
転写ローラ６は、ドラムフレーム４の後下端部に回転可能に支持されている。転写ローラ６は、感光ドラム５の下方に位置している。転写ローラ６は、略円筒形状を有しており、その上端部が感光ドラム５の下端部と接触している。
【００２８】
スコロトロン型帯電器７は、感光ドラム５の後上方に位置している。
【００２９】
現像カートリッジ３は、現像フレーム１０と、アジテータ１１と、現像ローラ１２と、供給ローラ１３と、層厚規制ブレード１４とを備えている。
【００３０】
現像フレーム１０は、左右方向に延びる略ボックス形状を有している。現像フレーム１０の後端部は、前後方向に開放されている。現像フレーム１０は、その内部においてトナー収容室１５と現像室１６とを有している。トナー収容室１５と現像室１６とは、前後方向に並列するように位置している。トナー収容室１５の内部にはトナーが収容されている。
【００３１】
アジテータ１１は、トナー収容室１５の前後上下方向略中央部分に位置している。アジテータ１１は、アジテータ軸１７と、攪拌羽根１８とを備えている。アジテータ軸１７は、左右方向に延びる略円柱形状を有している。攪拌羽根１８は、アジテータ軸１７から、アジテータ軸１７の径方向の外方に向かって延びている。アジテータ１１は、アジテータ軸１７の左右両端部が現像フレーム１０に回転可能に支持されることによって、左右方向に延びる回転軸線Ａ１を中心として回転するように構成されている。
【００３２】
現像ローラ１２は、現像室１６の後端部に位置している。現像ローラ１２は、左右方向に延びる略円柱形状を有している。現像ローラ１２は、左右方向両端部が現像フレーム１０に回転可能に支持されることによって、左右方向に延びる回転軸線Ａ２を中心として回転するように構成されている。現像ローラ１２の後方部分は、現像フレーム１０から露出している。現像ローラ１２の後端部は、感光ドラム５の前下端部と接触している。
【００３３】
供給ローラ１３は、現像室１６において現像ローラ１２の前下方に位置している。供給ローラ１３は、左右方向に延びる略円柱形状を有している。供給ローラ１３は、左右方向両端部が現像フレーム１０に回転可能に支持されることによって、左右方向に延びる軸線を中心として回転するように構成されている。供給ローラ１３の後上端部は、現像ローラ１２の前下端部と接触している。
【００３４】
層厚規制ブレード１４は、現像ローラ１２の前方において上下方向に延びており、その下端部が現像ローラ１２の前端部に接触している。
２．プロセスカートリッジの使用態様
図２に示すように、プロセスカートリッジ１は、画像形成装置２０に装着されて使用される。
【００３５】
画像形成装置２０は、電子写真方式のモノクロプリンタである。画像形成装置２０は、装置本体２１と、上記したプロセスカートリッジ１と、スキャナユニット２２と、定着ユニット２３とを備えている。
【００３６】
装置本体２１は、略ボックス形状を有している。装置本体２１は、開口部２４と、フロントカバー２５と、給紙トレイ２６と、排紙トレイ２７とを有している。
【００３７】
開口部２４は、装置本体２１の前壁に開口されている。開口部２４は、プロセスカートリッジ１の通過を許容するように、装置本体２１の内外を前後方向に連通している。
【００３８】
フロントカバー２５は、装置本体２１の前端部に位置している。フロントカバー２５は、略平板形状を有している。フロントカバー２５は、上下方向に延び、その下端部を支点として装置本体２１の前壁に揺動可能に支持されている。フロントカバー２５は、開口部２４を開放または閉鎖するように構成されている。
【００３９】
給紙トレイ２６は、装置本体２１の底部に位置している。給紙トレイ２６は、用紙Ｐを収容するように構成されている。
【００４０】
排紙トレイ２７は、装置本体２１の上壁の後半分に位置している。排紙トレイ２７は、用紙Ｐが載置されるように、装置本体２１の上面から下方へ凹んでいる。
【００４１】
プロセスカートリッジ１は、装置本体２１の上下方向略中央に収容されている。プロセスカートリッジ１は、装置本体２１に対して装着または離脱するように構成されている。
【００４２】
スキャナユニット２２は、プロセスカートリッジ１の上方に位置している。スキャナユニット２２は、感光ドラム５に向けて画像データに基づくレーザービームを出射するように構成されている。
【００４３】
定着ユニット２３は、プロセスカートリッジ１の後方に位置している。定着ユニット２３は、加熱ローラ２８と、加熱ローラ２８の後下端部に圧接される加圧ローラ２９とを備えている。
【００４４】
画像形成装置２０が画像形成動作を開始すると、スコロトロン型帯電器７は、感光ドラム５の表面を一様に帯電する。
【００４５】
スキャナユニット２２は、画像データに基づいて感光ドラム５の表面を露光する。これにより、画像データに基づく静電潜像が、感光ドラム５の表面に形成される。
【００４６】
また、アジテータ１１は、トナー収容室１５内のトナーを撹拌して、供給ローラ１３にトナーを供給する。供給ローラ１３は、アジテータ１１によって供給されたトナーを現像ローラ１２に供給する。このとき、トナーは、現像ローラ１２と供給ローラ１３との間で正極性に摩擦帯電され、現像ローラ１２に担持される。層厚規制ブレード１４は、現像ローラ１２に担持されたトナーの層厚を一定厚さに規制する。
【００４７】
そして、現像ローラ１２に担持されたトナーは、感光ドラム５表面の静電潜像に供給される。これにより、トナー像が、感光ドラム５の表面に担持される。
【００４８】
用紙Ｐは、給紙トレイ２６から、各種ローラの回転により、所定のタイミングで１枚ずつ、感光ドラム５と転写ローラ６との間に給紙される。感光ドラム５表面のトナー像は、用紙Ｐが感光ドラム５と転写ローラ６との間を通過するときに、用紙Ｐに転写される。
【００４９】
その後、用紙Ｐは、加熱ローラ２８と加圧ローラ２９との間を通過するときに加熱および加圧される。これにより、用紙Ｐ上のトナー像は、用紙Ｐに熱定着される。その後、用紙Ｐは、排紙トレイ２７に排紙される。
３．プロセスカートリッジの詳細
図３および図４に示すように、プロセスカートリッジ１は、ドラムカートリッジ２と現像カートリッジ３とを備えている。
（１）ドラムカートリッジ
ドラムカートリッジ２は、ベースフレーム４０と、カバーフレーム４１とを備えている。
（１−１）ベースフレーム
ベースフレーム４０は、平面視略矩形の有底枠形状を有している。ベースフレーム４０は、１対の側壁４２と、後壁４３と、前壁４４と、下壁４５とを一体的に備えている。
【００５０】
１対の側壁４２のそれぞれは、ベースフレーム４０の左右方向両端部のそれぞれに位置している。１対の側壁４２のそれぞれは、側面視略矩形の平板形状を有している。１対の側壁４２のそれぞれは、前後方向に延びている。左方の側壁４２の前端部には、上端部が開放された側面視略半円形状を有する受入部４６が備えられている。
【００５１】
後壁４３は、１対の側壁４２の後端部間に架設されている。後壁４３は、正面視略矩形の平板形状を有しており、左右方向に延びている。
【００５２】
前壁４４は、１対の側壁４２の前端部間に架設されている。前壁４４は、正面視略矩形の平板形状を有しており、左右方向に延びている。前壁４４は、ドラムカートリッジ把持部４７を備えている。
【００５３】
ドラムカートリッジ把持部４７は、前壁４４の左右方向略中央に位置している。ドラムカートリッジ把持部４７は、平面視略矩形の平板形状を有している。ドラムカートリッジ把持部４７は、前壁４４の上端部から前方へ延びている。
【００５４】
下壁４５は、１対の側壁４２の下端部、後壁４３の下端部、および、前壁４４の下端部の間に架設されている。下壁４５は、平面視略矩形の平板形状を有しており、左右方向に延びている。下壁４５は、２つの支持部５０と、２つの当接凸部５１とを有している。
（１−２）支持部および当接凸部
２つの支持部５０のそれぞれは、図４および図５に示すように、下壁４５の左右両端部のそれぞれに位置しており、下壁４５に一体的に備えられている。２つの支持部５０のそれぞれは、後方側が開放された平面視略コ字状を有しており、下壁４５の上面から上方に突出している。２つの支持部５０のそれぞれは、１対の側板５５と、前板５８とを備えている。
【００５５】
図５に示すように、１対の側板５５のそれぞれは、互いに左右方向に間隔を隔てて略前後方向に延びている。１対の側板５５のそれぞれは、前側板部５６と後側板部５７とを備えている。
【００５６】
１対の前側板部５６のそれぞれは、支持部５０において前方部分に位置している。１対の前側板部５６のそれぞれは、側面視略矩形状を有しており、平面視において、ドラムカートリッジ２の前壁４４の後方から後方に向かって延びている。１対の前側板部５６は、左右方向において互いに間隔を隔てて位置している。
【００５７】
１対の後側板部５７のそれぞれは、支持部５０において後方部分に位置している。１対の後側板部５７のそれぞれは、側面視略矩形状を有しており、平面視において、１対の前側板部５６のそれぞれの後端部から後方に向かって延びている。具体的には、１対の後側板部５７のそれぞれは、１対の前側板部５６のそれぞれの後端部から左右方向内方に突出した後、後方に向かって延び、その後、後方に向かうにつれて左右方向外方に向かうように傾斜して延びている。
【００５８】
前板５８は、１対の前側板部５６のそれぞれの前端部間において、左右方向に延びている。前板５８の左右方向の中央部からは、係止突起５９が後方に向かって突出している。係止突起５９は、後述する圧縮バネ８１の左右方向の移動を規制している。前板５８の左右方向両端部のそれぞれには、前板５８を前後方向に貫通するガイド穴５８Ａが位置している。
【００５９】
２つの当接凸部５１のそれぞれは、２つの支持部５０のそれぞれの後方に位置している。２つの当接凸部５１のそれぞれは、下壁４５に一体的に備えられている。２つの当接凸部５１のそれぞれは、略半球形状を有しており、下壁４５の上面から上方へ膨出している。
【００６０】
２つの支持部５０のそれぞれには、押圧部材７０が取り付けられている。
（１−３）押圧部材
図５に示すように、２つの押圧部材７０のそれぞれは、２つの支持部５０のそれぞれの１対の側板５５間に位置している。２つの押圧部材７０のそれぞれは、前後方向に延びる略筒形状を有しており、後方が閉鎖されている。図５および図６Ａに示すように、２つの押圧部材７０のそれぞれは、本体部７１と、押圧部７２と、突出部７３、ばね取付部７４とを備えている。
【００６１】
図６Ａおよび図６Ｂに示すように、本体部７１は、前後方向に延びる略筒形状を有している。本体部７１は、下方が開放され、後方が閉鎖されている。本体部７１は、１対の本体側壁７５と、本体上壁７６と、本体後壁７７とを備えている。
【００６２】
１対の本体側壁７５は、前後方向に延びる側面視略矩形の板形状を有している。１対の本体側壁７５は、左右方向において互いに間隔を隔てて位置している。１対の本体側壁７５のそれぞれは、切欠部７９と係止部８０とを有している。
【００６３】
１対の切欠部７９のそれぞれは、側面視略矩形状を有しており、１対の本体側壁７５のそれぞれを後端部から前方に向かって切り欠いている。これにより、１対の本体側壁７５のそれぞれは、後端部以外の領域が、切欠部７９を挟んで上端部分と下端部分とで構成されている。図５に示すように、１対の本体側壁７５のそれぞれは、支持部５０のガイド穴５８Ａに挿通されている。図６Ａおよび図６Ｂに示すように、１対の本体側壁７５のそれぞれの上端部分と下端部分との間には、係止部８０が位置している。
【００６４】
１対の係止部８０のそれぞれは、１対の本体側壁７５のそれぞれの上端部分と下端部分との間において前後方向に延びている。１対の係止部８０のそれぞれは、係止基端部８０Ａと係止突起８０Ｂとを備えている。１対の係止基端部８０Ａのそれぞれは、前後方向に延びる側面視略矩形の板形状を有しており、１対の切欠部７９のそれぞれにおける本体側壁７５の後端部から前方に向かって延びている。１対の係止突起８０Ｂのそれぞれは、１対の係止基端部８０Ａのそれぞれの前端部に位置している。１対の係止突起８０Ｂのそれぞれは、左右方向外方に向かって略鉤状に突出している。図５に示すように、１対の係止突起８０Ｂのそれぞれは、支持部５０における１対の後側板部５７のそれぞれの前方に位置している。
【００６５】
図６Ａおよび図６Ｂに示すように、本体上壁７６は、１対の本体側壁７５の上端部間に架設されている。本体上壁７６は、前後方向に延びる平面視略矩形の板形状を有している。
【００６６】
本体後壁７７は、１対の本体側壁７５のそれぞれの前端部、および、本体上壁７６の前端部の間に架設されている。
【００６７】
押圧部７２は、本体部７１の本体後壁７７から後方に向かって湾曲するように突出している。押圧部７２は、側面視略円弧形状を有している。押圧部７２は、背面視において、本体部７１の本体後壁７７の略中央部に位置している。
【００６８】
突出部７３は、本体部７１の本体上壁７６から上方に向かって突出しており、かつ、本体部７１の本体後壁７７から後方に向かって突出している。突出部７３は、左右方向において一定の厚みを有する側面視略台形の板形状を有している。突出部７３は、１対の突出側面７３Ａと、突出上面７３Ｂと、突出前面７３Ｃと、ガイド面７３Ｅと、湾曲面７３Ｄとを有している。
【００６９】
１対の突出側面７３Ａは、突出部７３において左右方向両側面を構成している。１対の突出側面７３Ａは、側面視略台形状を有しており、本体部７１の本体上壁７６から上方に向かって延び、かつ、本体部７１の本体後壁７７から後方に向かって延びている。
【００７０】
突出上面７３Ｂは、突出部７３において上面を構成している。突出上面７３Ｂは、前後方向に延びる平面視略矩形状を有しており、１対の突出側面７３Ａのそれぞれの上端に連続している。
【００７１】
突出前面７３Ｃは、突出部７３において前面を構成している。突出前面７３Ｃは、上下方向に延びる正面視略矩形状を有しており、１対の突出側面７３Ａのそれぞれの前端、および、突出上面７３Ｂの前端に連続している。
【００７２】
ガイド面７３Ｅは、突出部７３において、後面を構成している。ガイド面７３Ｅは、突出前面７３Ｃと間隔を隔てて後方に位置しており、かつ、突出上面７３Ｂの後下方に位置している。ガイド面７３Ｅは、前上方から後下方に向かう方向に延びる背面視略矩形状を有しており、その下端部が押圧部７２の中央部に連続している。ガイド面７３Ｅは、押圧部７２の中央部を通過し上下方向に延びる仮想線Ｌ１に対して前方に傾斜している。換言すれば、ガイド面７３Ｅは、図１に示すように、感光ドラム５と向かい合っており、上方に突出するにつれて感光ドラム５から離れるように傾斜して延びている。具体的には、図６Ｂに示すように、側面視において、前後方向に延びる仮想線Ｌ２とガイド面７３Ｅのなす角度θ１は、４５°以上、９０°未満であって、より詳しくは、６５°以上、８５°以下である。具体的には、角度θ１は、８０°である。上下方向に投影したときに、ガイド面７３Ｅの下方部分は、押圧部７２と重なっている。
【００７３】
図６Ａおよび図６Ｂに示すように、湾曲面７３Ｄは、突出部７３において後上面を構成している。湾曲面７３Ｄは、突出上面７３Ｂとガイド面７３Ｅとの間に位置している。湾曲面７３Ｄは、側面視形状が後上方側に湾曲する略円弧形状を有している。湾曲面７３Ｄの上端は、突出上面７３Ｂの後端に連続しており、湾曲面７３Ｄの下端は、ガイド面７３Ｅの上端に連続している。側面視において、湾曲面７３Ｄは、本体部７１と反対側に位置している。
【００７４】
ばね取付部７４は、本体部７１の本体後壁７７の前面から前方に向かって延びている。ばね取付部７４は、略円柱形状を有しており、前方に向かって先細るテーパー形状を有している。ばね取付部７４には、圧縮ばね８１が取付られている。
【００７５】
圧縮ばね８１は、線材が巻回されることにより構成されるコイルばねであって、前後方向に延びている。圧縮ばね８１の後端部は、押圧部材７０のばね取付部７４の外周面に嵌っている。圧縮ばね８１の前端部は、係止突起５９に嵌るようにして前板５８の後面に当接している。圧縮ばね８１は、圧縮状態で押圧部材７０のばね取付部７４と前板５８との間に位置している。これにより、圧縮ばね８１は、常には、押圧部材７０を後方へ付勢している。
【００７６】
２つの押圧部材７０のそれぞれは、図５において破線で示す前方位置と実線で示す後方位置との間で前後方向にスライド可能である。２つの押圧部材７０のそれぞれが後方位置に位置すると、係止突起８０Ｂが後側板部５７に係合し、後方へのさらなる移動が規制さされる。
【００７７】
なお、２つの押圧部材７０のそれぞれは、後述するように、カートリッジ収容部８６に装着された現像カートリッジ３を後方に向けて押圧する。すなわち、押圧部材７０の押圧方向は、前方から後方に向かう方向である。
（１−４）カバーフレーム
図１および図３に示すように、カバーフレーム４１は、ベースフレーム４０の後端部の上方に位置している。カバーフレーム４１は、平面視略矩形の平板形状を有しており、左右方向に延びている。カバーフレーム４１、１対の側壁４２のそれぞれの後端部、後壁４３、および、下壁４５の後端部により囲まれる空間がドラム収容部８５である。側面視において、ドラム収容部８５の中央部分に感光ドラム５が収容されており、ドラム収容部８５の後上方部分にスコロトロン型帯電器７が収容されており、ドラム収容部８５の下方部分に転写ローラ６が収容されている。ドラム収容部８５よりも前方において、１対の側壁４２、前壁４４、および、下壁４５によって囲まれる空間が、カートリッジ収容部８６である。カートリッジ収容部８６には、現像カートリッジ３が収容されている。
（２）現像カートリッジ
現像カートリッジ３は、図７および図８Ａに示すように、現像フレーム１００と、駆動部１０１とを備えている。
（２−１）現像フレーム
現像フレーム１００は、略ボックス形状を有している。現像フレーム１００は、１対の側壁１０２と、下壁１０３と、前壁１０４と、上壁１０５とを備えている。
【００７８】
１対の側壁１０２のそれぞれは、現像フレーム１００の左右方向両端部のそれぞれに位置している。１対の側壁１０２のそれぞれは、前後方向および上下方向に延びる側面視略矩形の平板形状を有している。図７に示すように、１対の側壁１０２のそれぞれは、被押圧部の一例としての延設部１０７を有している。延設部１０７は、１対の側壁１０２のそれぞれの前端部に位置している。延設部１０７は、側面視略矩形の略平板形状を有している。延設部１０７は、１対の側壁１０２のそれぞれの前端部から前方へ延びている。延設部１０７の左右方向の寸法は、押圧部材７０の突出部７３の左右方向の寸法と略同一である。
【００７９】
図７および図８Ａに示すように、下壁１０３は、前後方向および左右方向に延びる略平板形状を有している。下壁１０３の左右両端部は、１対の側壁１０２の下端部に連続している。
【００８０】
前壁１０４は、上下方向および左右方向に延びる略平板形状を有している。前壁１０４の下端部は、下壁１０３の前端部に連続している。図３および図４に示すように、前壁１０４は、現像把持部１０６を備えている。
【００８１】
現像把持部１０６は、前壁１０４の左右方向略中央に位置している。現像把持部１０６は、平面視略矩形状を有している。現像把持部１０６は、前壁１０４の左右方向略中央から前上方に向かって突出している。現像把持部１０６は、ドラムカートリッジ２のカートリッジ収容部８６に現像カートリッジ３が収容された状態で、ドラムカートリッジ２のドラムカートリッジ把持部４７と間隔を隔てて、ドラムカートリッジ把持部４７の後方に位置している。
【００８２】
上壁１０５は、前後方向および左右方向に延びる略平板形状を有している。上壁１０５の前端部は、前壁１０４の上端部に連続している。上壁１０５の左右両端部のそれぞれは、１対の側壁１０２のそれぞれの上端部に連続している。
（２−２）駆動部
駆動部１０１は、図７および図８Ａに示すように、現像カートリッジ３の左端部において、現像フレーム１００の左方に位置している。駆動部１０１は、ギア列１１０と、検知ギア１２０と、ギアカバー１１２とを備えている。ギア列１１０および検知ギア１２０は、駆動機構を構成する。
（２−２−１）ギア列
ギア列１１０は、図８Ｂに示すように、現像カップリング１１３と、現像ギア１１４と、供給ギア１１５と、アイドルギア１１６と、アジテータギア１１７とを備えている。
【００８３】
現像カップリング１１３は、現像カートリッジ３の後端部に位置している。現像カップリング１１３は、左右方向に延びる略円柱形状を有している。現像カップリング１１３は、その全周にわたってギア歯を有している。
【００８４】
現像ギア１１４は、現像カップリング１１３の後下方に位置している。左方の側壁１０２からは、上記した現像ローラ１２の軸芯の左端部が突出しており、現像ギア１１４は、現像ローラ１２の軸芯の左端部に相対回転不能に支持されている。現像ギア１１４は、現像カップリング１１３に噛み合っている。
【００８５】
供給ギア１１５は、現像カップリング１１３の下方に位置している。左方の側壁１０２からは、上記した供給ローラ１３の軸芯の左端部が突出しており、供給ギア１１５は、供給ローラ１３の軸芯の左端部に相対回転不能に支持されている。供給ギア１１５は、現像カップリング１１３に噛み合っている。
【００８６】
アイドルギア１１６は、現像カップリング１１３の前方に位置している。アイドルギア１１６は、左方の側壁１０２において回転可能に支持されている。アイドルギア１１６は、大径ギア１１６Ａと、大径ギア１１６Ａよりも右方に位置する小径ギア１１６Ｂとを一体的に備えている。大径ギア１１６Ａは、現像カップリング１１３に噛み合っている。
【００８７】
アジテータギア１１７は、アイドルギア１１６の前下方に位置している。アジテータギア１１７は、第１ギア部１１７Ａと、第２ギア部１１７Ｂと、当接リブ１１７Ｃとを備えている。
【００８８】
第１ギア部１１７Ａは、アイドルギア１１６の小径ギア１１６Ｂの前端部に噛み合っている。
【００８９】
第２ギア部１１７Ｂは、第１ギア部１１７Ａの左方に隣接するようにして位置している。第２ギア部１１７Ｂは、第１ギア部１１７Ａと中心軸線を共有している。第２ギア部１１７Ｂの外径は、第１ギア部１１７Ａの外径よりも小さい。
【００９０】
当接リブ１１７Ｃは、第１ギア部１１７Ａの左面から左方に向かって突出している。
【００９１】
アジテータギア１１７は、アジテータ軸１７の左端部に相対回転不能に嵌まっている。
（２−２−２）検知ギア
検知ギア１２０は、左右方向に延びる略円柱形状を有している。検知ギア１２０は、左方の側壁１０２に回転可能に支持されている。検知ギア１２０は、本体部１２１と、ギア部１２２、と、検知部１２３とを備えている。
【００９２】
本体部１２１は、左右方向に厚みを有する略円板形状を有している。本体部１２１の右面からは、スライド部１２４が右方に突出している。スライド部１２４は、本体部１２１の径方向に延びる略平板形状を有している。
【００９３】
ギア部１２２は、本体部１２１の右面から右方へ延び、その径方向一端部が開放された部分円筒形状を有している。
【００９４】
検知部１２３は、本体部１２１の左面から左方に突出している。左右方向において、検知部１２３の外方の端部の位置は、後述する収容部１４２の外方の縁部の位置と略等しい。
（２−３）ギアカバー
ギアカバー１１２は、第１カバー１３１と、第２カバー１３２とを備えている。
【００９５】
第１カバー１３１は、駆動部１０１の後端部に位置している。第１カバー１３１は、左右方向に延び、左端部が閉鎖された略角筒形状を有している。第１カバー１３１は、現像カップリング１１３のギア歯、現像ギア１１４および供給ギア１１５を被覆している。第１カバー１３１は、カップリングカラー１３３と、現像ローラカラー１３４とを備えている。
【００９６】
カップリングカラー１３３は、第１カバー１３１の中央に位置している。カップリングカラー１３３は、左右方向に延びる略円筒形状を有している。第１カバー１３１には、カップリングカラー１３３に対応する穴が開口されており、それによってカップリングカラー１３３は、第１カバー１３１を左右方向に貫通している。カップリングカラー１３３の内径は、現像カップリング１１３の外径とほぼ同じである。カップリングカラー１３３は、現像カップリング１１３に嵌まっている。
【００９７】
現像ローラカラー１３４は、カップリングカラー１３３の後下方に位置している。現像ローラカラー１３４は、左右方向に延び、左端部が閉鎖された略円筒形状を有している。第１カバー１３１には、現像ローラカラー１３４に対応する穴が開口されており、それによって現像ローラカラー１３４は、第１カバー１３１を左右方向に貫通している。そして、現像ローラカラー１３４は、現像ローラ１２の軸芯の左端部に嵌まっている。
【００９８】
第２カバー１３２は、第１カバー１３１の前方に位置している。第２カバー１３２は、アイドルギア１１６、アジテータギア１１７および検知ギア１２０を被覆している。第２カバー１３２は、ベース部１４０と、収容部１４２と、貫通穴１４１と、当接部１４３とを有している。
【００９９】
ベース部１４０は、左右方向に延び、左端部が閉鎖された略角筒形状を有している。ベース部１４０の左壁は、左右方向に直交している。
【０１００】
収容部１４２は、第２カバー１３２の前端部に位置している。収容部１４２は、ベース部１４０の左面から左方に延び、左端部が閉鎖された略円筒形状を有している。収容部１４２の右端部は、ベース部１４０の前端部内に連通している。収容部１４２は、検知ギア１２０の本体部１２１および検知部１２３を収容している。収容部１４２は、露出口１４５を有している。
【０１０１】
露出口１４５は、収容部１４２の左壁の周縁部に沿う側面視略Ｃ字形状を有している。露出口１４５は、収容部１４２の左壁を左右方向に貫通している。露出口１４５は、その内部に検知ギア１２０の検知部１２３を収容している。
【０１０２】
貫通穴１４１は、第２カバー１３２の前後方向略中央であって、収容部１４２の後方に隣接するように位置している。貫通穴１４１は、側面視略円形状を有している。貫通穴１４１は、ベース部１４０の左壁を左右方向に貫通している。左右方向に投影したときに、貫通穴１４１は、アジテータギア１１７に嵌っているアジテータ軸１７と重なっている。
【０１０３】
当接部１４３は、第２カバー１３２の前後方向略中央であって、収容部１４２の後方に隣接し、かつ、貫通穴１４１の上方に隣接するように位置している。当接部１４３は、ベース部１４０の左面から左方に突出する側面視略角柱形状を有している。当接部１４３の前端部は、収容部１４２の後端部に連続している。当接部１４３は、当接面１４３Ａと、第１補強面１４３Ｂと、第２補強面１４３Ｃと、連結面１４３Ｄとを有している。
【０１０４】
当接面１４３Ａは、当接部１４３の上面を構成しており、左右方向に延びる平面視略矩形状を有している。当接面１４３Ａは、側面視において、前上方から後下方に向かう方向に延びている。当接面１４３Ａの前端は、収容部１４２の後上端に連続している。側面視において、当接面１４３Ａと収容部１４２の外周縁とがなす角度θ２は、鈍角である。なお、角度θ２は、詳しくは、側面視において、当接面１４３Ａと収容部１４２との接点における、当接面１４３Ａと収容部１４２の外周縁の接線とがなす角度である。具体的には、角度θ２は、１３５°である。
【０１０５】
第１補強面１４３Ｂは、当接部１４３の後面を構成しており、左右方向に延びる正面視略矩形状を有している。第１補強面１４３Ｂは、側面視において、前上方から後下方に向かう方向に延びている。第１補強面１４３Ｂの上端は、当接面１４３Ａの後端に連続している。
【０１０６】
第２補強面１４３Ｃは、当接部１４３の下面を構成しており、左右方向に延びる背面視略矩形状を有している。第２補強面１４３Ｃは、側面視において、後上方から前下方に向かう方向に延びている。第２補強面１４３Ｃの後端は、第１補強面１４３Ｂの下端に連続しており、第２補強面１４３Ｃの前端は、収容部１４２の後端に連続している。詳しくは、第２補強面１４３Ｃは、側面視において、第１補強面１４３Ｂの下端から前下方に向かって延びた後、前上方側に湾曲しつつ前下方に延びて収容部１４２に連続しており、第１補強面１４３Ｂと収容部１４２とをつないでいる。第２補強面１４３Ｃは、側面視おいて、貫通穴１４１の上方周縁部と一致している。すなわち、第２補強面１４３Ｃは、貫通穴１４１の上方周縁部に沿っている。
【０１０７】
連結面１４３Ｄは、当接部１４３の左面を構成している。連結面１４３Ｄは、側面視略矩形状を有しており、当接面１４３Ａの左端、第１補強面１４３Ｂの左端、第２補強面１４３Ｃの左端、および、収容部１４２の後端部の左端に連続している。換言すれば、連結面１４３Ｄは、当接面１４３Ａと、第１補強面１４３Ｂと、第２補強面１４３Ｃとの左方の縁部を連結している。連結面１４３Ｄは、収容部１４２の左右方向外方の縁部と略面一である。
【０１０８】
図７に示すように、当接部１４３の左端部は、現像カップリング１１３の左端部よりも左方に位置している。図８Ａに示すように、当接部１４３は、アジテータ１１の回転軸線Ａ１よりも上方に位置している。当接部１４３は、アジテータ１１の回転軸線Ａ１と現像ローラ１２の回転軸線Ａ２とを結ぶ仮想線分Ｌ３よりも上方に位置している。また、当接部１４３は、左右方向において、トナー収容室１５と重なる位置に位置している。
４．ドラムカートリッジに対する現像カートリッジの装着
現像カートリッジ３を出荷するときには、図８Ａに示すように、作業者は、貫通穴１４１を介してアジテータ１１のアジテータ軸１７を視認して、アジテータ１１の位相、すなわち、アジテータ１１の攪拌羽根１８の位置を確認する。そして、作業者は、攪拌羽根１８を、現像フレーム１０の内周面に接触しない位置に配置させる。その後、この状態で現像カートリッジ３がドラムカートリッジ２に装着される。
【０１０９】
ドラムカートリッジ２に対する現像カートリッジ３の装着作業においては、作業者は、図９Ａに示すように、現像カートリッジ３の後端部をドラムカートリッジ２のカートリッジ収容部８６に上方から挿入する。このとき、作業者は、ドラムカートリッジ２の押圧部材７０の突出部７３と現像カートリッジ３の延設部１０７とが左右方向において重なる位置が現像カートリッジ３の装着位置であることを確認して、現像カートリッジ３をドラムカートリッジ２に装着する。
【０１１０】
すると、現像カートリッジ３の延設部１０７は、ドラムカートリッジ２の押圧部材７０の湾曲面７３Ｄに当接する。そして、現像カートリッジ３の延設部１０７は、押圧部材７０の湾曲面７３Ｄを滑るようにして後下方へ移動した後、ガイド面７３Ｅに当接し、図９Ｂに示すように、ガイド面７３Ｅを滑るようにして後下方へ移動する。これにより、現像カートリッジ３は、後下方に徐々に移動する。そして、現像ローラ１２が感光ドラム５に前方から当接すると、現像カートリッジ３は、それ以上の後下方への移動が規制される。
【０１１１】
このとき、現像カートリッジ３は、第２位置に位置する。現像カートリッジ３が第２位置に位置すると、現像ローラ１２が感光ドラム５に当接し、かつ、延設部１０７が押圧部材７０のガイド面７３Ｅに当接する。現像カートリッジ３が第２位置に位置するときは、現像カートリッジ３はドラムカートリッジ２に対して完全には装着されていない。すなわち、現像カートリッジ３がドラムカートリッジ２から離脱可能である現像カートリッジ３の位置が第２位置である。
【０１１２】
次いで、作業者は、現像カートリッジ３の前端部を下方へ押圧する。
【０１１３】
すると、現像カートリッジ３は、その後端部を支点として、左側面視時計回りに回動する。このとき、現像カートリッジ３の延設部１０７は、押圧部材７０のガイド面７３Ｅを滑りながら後下方へ移動し、押圧部材７０の押圧部７２に当接する。これにより、押圧部材７０は、圧縮ばね８１の付勢力に抗して前方に移動する。
【０１１４】
そして、延設部１０７が当接凸部５１に上方から当接すると、図１に示すように、現像カートリッジ３は、それ以上の移動が規制される。
【０１１５】
すると、押圧部材７０の押圧部７２は、圧縮ばね８１の付勢力により、現像カートリッジ３の延設部１０７を後方へ押圧する。すると、現像ローラ１２は、押圧部材７０からの押圧力により、感光ドラム５に押圧される。このとき、現像カートリッジ３は、第１位置に位置する。
【０１１６】
このようにして、ドラムカートリッジ２に対する現像カートリッジ３の装着作業が完了する。
５．装置本体に対するプロセスカートリッジの装着
装置本体２１にプロセスカートリッジ１を装着するには、作業者は、フロントカバー２５を開放して、プロセスカートリッジ１を後端部から装置本体２１内に挿入する。
【０１１７】
ここで、図１０Ａに示すように、現像カートリッジ３がドラムカートリッジ２に未完全に装着された状態で、プロセスカートリッジ１が装置本体２１に装着される場合がある。すなわち、プロセスカートリッジ１において、図９Ｂに示すように、現像カートリッジ３が第２位置に位置する状態のまま、プロセスカートリッジ１が装置本体２１に装着される場合がある。
【０１１８】
この場合、作業者がプロセスカートリッジ１を後方へ押し込むと、装置本体２１内の部材である干渉物２００が、現像カートリッジ３の当接部１４３の当接面１４３Ａに後方から当接する。
【０１１９】
そして、作業者がさらにプロセスカートリッジ１を後方へ押し込むと、現像カートリッジ３の当接部１４３の当接面１４３Ａは、干渉物２００からの応力により、下方へ押圧される。
【０１２０】
すると、図９Ｂおよび図１０Ｂに示すように、現像カートリッジ３の前端部は、後端部を中心に下方へ回動するように、カートリッジ収容部８６内に収容される。
【０１２１】
これにより、プロセスカートリッジ１に未完全に装着されていた現像カートリッジ３が、完全にドラムカートリッジ２に装着される。
【０１２２】
その後、作業者がさらにプロセスカートリッジ１を後方へ押し込むと、図１に示すように、装置本体２１に対するプロセスカートリッジ１の装着が完了する。
６．新品検知動作
プロセスカートリッジ１が装置本体２１に装着され、フロントカバー２５が閉鎖されると、フロントカバー２５の閉動作に連動して、装置本体２１の図示しない駆動源としての本体カップリングが現像カップリング１１３に相対回転不能に嵌まる。そして、現像カップリング１１３に駆動力が付与される。
【０１２３】
すると、アイドルギア１１６のアジテータギア１１７に駆動力が付与され、アジテータギア１１７が左側面視時計回り方向に回転し、現像カートリッジ３が新品の場合には、当接リブ１１７Ｃが検知ギア１２０のスライド部１２４に係合する。そして、検知ギア１２０が左側面視反時計回り方向に回転する。これにより、検知ギア１２０のギア部１２２がアジテータギア１１７の第２ギア部１１７Ｂと噛み合い、検知ギア１２０がさらに左側面視反時計回り方向に回転する。
【０１２４】
そして、検知ギア１２０の検知部１２３の回転を図示しない検知装置が検知することにより、現像カートリッジ３が新品であるか否かが検知される。
７．作用効果
（１）このドラムカートリッジ２によれば、図６Ａに示すように、押圧部材７０は、本体部７１から後方に向けて突出するとともに、本体部７１から上方に突出する突出部７３を備える。突出部７３は、押圧部７２と連続し、現像カートリッジ３をドラムカートリッジ２のカートリッジ収容部８６にガイドするように構成されるガイド面７３Ｅを備える。
【０１２５】
そのため、現像カートリッジ３をカートリッジ収容部８６に円滑に収容できる。
【０１２６】
また、現像カートリッジ３が押圧部７２に乗り上げるように係合することを抑制できる。
【０１２７】
その結果、現像カートリッジ３を感光ドラム５に向けて確実に押圧できる。
（２）また、このドラムカートリッジ２によれば、図６Ｂに示すように、ガイド面７３Ｅは、側面視おいて、上方に突出するにつれて感光ドラム５から離れるように傾斜して延びている。
【０１２８】
そのため、現像カートリッジ３を一層円滑にカートリッジ収容部８６に収容できる。
（３）また、このドラムカートリッジ２によれば、図６Ｂに示すように、ガイド面７３Ｅと仮想線Ｌ２とのなす角度は、４５°以上、９０°未満である。
【０１２９】
そのため、現像カートリッジ３を円滑にカートリッジ収容部８６に収容できるように、ガイド面７３Ｅの傾斜角度を適切に保つことができる。
（４）また、このドラムカートリッジ２によれば、図６Ｂに示すように、ガイド面７３Ｅと仮想線Ｌ２とのなす角度は、６５°以上、８５°以下である。
【０１３０】
そのため、現像カートリッジ３を円滑にカートリッジ収容部８６に収容できるように、ガイド面７３Ｅの傾斜角度を適切に保つことができる。
（５）また、このドラムカートリッジ２によれば、図６Ａに示すように、突出部７３は、ガイド面７３Ｅと連続する湾曲面７３Ｄを備える。
【０１３１】
そのため、現像カートリッジ３を湾曲面７３Ｄを介してガイド面７３Ｅに案内できる。
（６）また、このドラムカートリッジ２によれば、図６Ｂに示すように、ガイド面７３Ｅは、押圧部７２に連続し、かつ、上下方向に投影したときに押圧部７２と重なる。
【０１３２】
そのため、現像カートリッジ３が押圧部７２に乗り上げるように係合することを、一層確実に抑制できる。
（７）また、このプロセスカートリッジ１によれば、図４に示すように、押圧部材７０の突出部７３の左右方向の寸法は、現像カートリッジ３の延設部１０７の左右方向の寸法と略同一である。
【０１３３】
そのため、現像カートリッジ３をカートリッジ収容部８６に収容させる際に、現像カートリッジ３の装着位置を認識しやすくできる。
８．変形例
上記実施形態では、現像カートリッジ３が現像ローラ１２を備える構成としたが、現像カートリッジ３が、現像ローラ１２に代えて、例えば、内部に磁気ローラを備える現像スリーブを備える構成とすることもできる。
【０１３４】
また、上記実施形態では、第１カバー１３１と第２カバー１３２とは、別部材として構成されるとしたが、第１カバー１３１と第２カバー１３２とを一体的に構成することもできる。
【０１３５】
また、上記実施形態では、第２カバー１３２がアイドルギア１１６、アジテータギア１１７および検知ギア１２０を被覆する構成としたが、第２カバー１３２がアイドルギア１１６、アジテータギア１１７および検知ギア１２０のうち、少なくとも一部を被覆する構成とすることもできる。
【０１３６】
また、上記実施形態では、ギアカバー１１２の第２カバー１３２が当接部１４３を備える構成としたが、当接部１４３をギアカバー１１２と別部材として構成することもできる。
【０１３７】
また、上記実施形態では、検知ギア１２０がギア部１２２を備える構成としたが、検知ギア１２０が、ギア部１２２に代えて、例えば、弾性体のような摩擦体を備える構成とすることもできる。
【０１３８】
また、上記実施形態では、当接部１４３の左面は、連結面１４３Ｄによって構成されるとしたが、当接部１４３を左方が開放される構成とすることもできる。
【０１３９】
また、上記実施形態では、第２カバー１３２のベース部１４０の左壁は、左右方向に直交する構成としたが、第２カバー１３２のベース部１４０の左壁は、左右方向に完全に直交する必要はない。すなわち、第２カバー１３２のベース部１４０の左壁は、ギア列１１０を左方から被覆する構成であればよい。例えば、第２カバー１３２のベース部１４０の左壁を、各ギアの回転を阻害しない範囲で、側壁１０２に対して傾斜する構成とすることもできる。
【符号の説明】
【０１４０】
２      ドラムカートリッジ
３      現像カートリッジ
４      ドラムフレーム
５      感光ドラム
７０    押圧部材
７１    本体部
７２    押圧部
７３    突出部
７３Ｄ  湾曲面
７３Ｅ  ガイド面
８６    カートリッジ収容部
【図１】
2015129817.tif 000003
【図２】
2015129817.tif 000004
【図３】
2015129817.tif 000005
【図４】
2015129817.tif 000006
【図５】
2015129817.tif 000007
【図６】
2015129817.tif 000008
【図７】
2015129817.tif 000009
【図８】
2015129817.tif 000010
【図９】
2015129817.tif 000011
【図１０】
2015129817.tif 000012